(57)【特許請求の範囲】
【請求項１】
戸袋に進退自在に取り付けられた扉体の、前記戸袋に対する移動を拘束するロック装置であって、
前記戸袋又は前記扉体のいずれか一方に固定されるベースプレートと、
ラッチ回動軸回りに揺動するように、前記ベースプレートに軸支されるとともに、先端に係合爪を備える係合アームと、
前記ベースプレートに固定されて、前記係合アームを前記ラッチ回動軸回りに揺動させるアクチュエータと、
前記係合爪と係合する複数の被係合片を備えて、前記戸袋又は前記扉体のいずれか他方に固定される被係合部を備え、
前記複数の被係合片は、前記扉体の進退方向に平行に配列されるとともに、
前記係合爪は、前記係合爪が前記被係合片と係合する場合に当該被係合片と当接する当接面を備え、
前記被係合片は、前記ベースプレートから遠い側に形成されて、前記当該被係合片が前記係合爪に係合する場合に前記係合爪の前記当接面と当接して、前記ベースプレートの前記被係合部から遠ざかる方向への移動を拘束する被当接面と、前記ベースプレートに近い側に形成された傾斜面であって、前記係合爪が前記傾斜面に当接する場合に、前記係合爪を、当該被係合片と当該被係合片よりも前記ベースプレートに近い側にあって当該被係合片に隣接する別の前記被係合片との間に形成された凹部に誘導する傾斜面とを備える、
ロック装置。
【請求項２】
前記被係合部が備える複数個の前記被係合片の相互の間隔は前記係合爪の幅よりも広くされていて、前記係合爪が前記被係合片と係合する場合に、当該ロック装置に当該被係合片と当該被係合片に隣接する別の前記被係合片の間で遊びが生じる、
請求項１に記載のロック装置。
【請求項３】
ホームの床面に固定される戸袋と、
前記戸袋に進退自在に取り付けられた扉体と、
請求項１又は請求項２に記載のロック装置を備えるホーム柵。
【請求項４】
前記ロック装置は、前記戸袋内に取り付けられ、前記係合爪は前記戸袋内部において前記被係合片と係合可能に構成されている、
請求項３に記載のホーム柵。
【請求項５】
前記ベースプレートは、前記扉体に固定され、
前記被係合部は、前記戸袋に固定されている、
請求項４に記載のホーム柵。
【請求項６】
前記ベースプレートは、前記戸袋に固定され、
前記被係合部は、前記扉体に固定されている、
請求項４に記載のホーム柵。
【発明の詳細な説明】
【技術分野】
【０００１】
この発明は、ロック装置とロック装置を備えるホーム柵に関するものである。
【背景技術】
【０００２】
ホーム柵は、鉄道駅のプラットホームにおいて、鉄道車両の乗降口と対向するように設置される、一種の自動ドア装置である。一般に、ホーム柵は、プラットホームに固定された戸袋と、戸袋に設けられたレール上を移動して 、戸袋に対して進退する扉体を備えている。
【０００３】
特許文献１に記載の可動ホーム柵も、このようなホーム柵の一つである。この特許文献１に記載の可動ホーム柵は、ロック装置を備えて、扉体が閉扉位置にある時に、扉体が不用意に開扉されることがないようにしている。
【０００４】
特許文献１に記載の可動ホーム柵が備えるロック装置は、ラッチ回動軸を中心に回動する係合部と、係合部を回動させるソレノイド軸を有するソレノイドと、係合部と係合可能な被係合部とを備えている。そして、ソレノイドに通電されると、係合部と被係合部が互いに係合され、扉体が戸袋にロックされる。このロック装置は、乗客による扉体のこじ開けを防止するために、可動ホーム柵に備えられる。
【先行技術文献】
【特許文献】
【０００５】
【特許文献１】特許第５６４０４３７号公報
【発明の概要】
【発明が解決しようとする課題】
【０００６】
特許文献１に記載のロック装置の被係合部は、ロック装置が動作した時に、係合部に確実に係合するように、係合部を基準にして正確に位置決め調整される必要がある。被係合部の位置決め調整は、ホーム柵の製造現場において、ホーム柵を定盤に固定して、実施される。つまり、被係合部の位置決め調整は、ホーム柵の製造現場において実施され、被係合部の位置決め調整が実施されたホーム柵が据え付け現場に搬入される。
【０００７】
しかしながら、据え付け現場、つまりプラットホームには微妙な傾斜や凹凸があるので、ホーム柵をプラットホームに据え付けると、ロック装置の係合部と被係合部が正しく係合しない場合がある。そのため、特許文献１に記載のホーム柵は、プラットホームに据え付けた後に、再度、被係合部の位置決め調整を行う必要があった。
【０００８】
つまり、特許文献１に記載のロック装置には、製造時と現地据付時に、ロック装置の被係合部の位置決め調整を繰り返す必要があって、それぞれに相当の作業時間が掛かるという問題があった。
【０００９】
この発明は、上述の問題を解決するためになされたものであり、位置決め調整に手間が掛からないロック装置を提供することを目的とする。また、現地据付後における、ロック装置の位置決め調整を省略できるホーム柵を提供することを目的とする。
【課題を解決するための手段】
【００１０】
上記目的を達成するために、この発明に係るロック装置は、戸袋に進退自在に取り付けられた扉体の、戸袋に対する移動を拘束するロック装置であって、戸袋又は扉体のいずれか一方に固定されるベースプレートと、ラッチ回動軸回りに揺動するように、ベースプレートに軸支されるとともに、先端に係合爪を備える係合アームと、ベースプレートに固定されて、係合アームをラッチ回動軸回りに揺動させるアクチュエータと、係合爪と係合する複数の被係合片を備えて、戸袋又は扉体のいずれか他方に固定される被係合部を備える。複数の被係合片は、扉体の進退方向に平行に配列されるとともに、係合爪は、係合爪が被係合片と係合する場合に当該被係合片と当接する当接面を備え、被係合片は、ベースプレートから遠い側に形成されて、当該被係合片が係合爪に係合する場合に係合爪の当接面と当接して、ベースプレートの被係合部から遠ざかる方向への移動を拘束する被当接面と、ベースプレートに近い側に形成された傾斜面であって、係合爪が傾斜面に当接する場合に、係合爪を、当該被係合片と当該被係合片よりもベースプレートに近い側にあって当該被係合片に隣接する別の被係合片との間に形成された凹部に誘導する傾斜面とを備える。
【発明の効果】
【００１１】
この発明に係るロック装置は、被係合部が係合部に対して位置ずれしていても、閉扉状態にあるホーム柵がこじ開けられようとする場合に、扉体をロックすることができる。そのため、この発明によれば、ロック装置をホーム柵に取り付ける際に行う、被係合部の位置決め調整が容易になる。また、ホーム柵を現地に据え付けた後の、ロック装置の被係合部の位置決め調整を省略することができる。そのため、ホーム柵の製造時及び現地据付けにおける、ロック装置の位置決め調整に掛かる作業時間を削減することができる。
【図面の簡単な説明】
【００１２】
【図１】この発明の実施の形態に係るロック装置の構造図である。
【図２】図１に記載のロック装置の係合爪と被係合片が互いに係合した状態を示す構造図である。
【図３】図１に記載のロック装置の作用を説明する説明図であって、図３（ａ）は、係合爪と被係合片の位置がずれていて、互いに係合できない状態を示す図であり、図３（ｂ）は、係合爪と被係合片の位置ずれが解消されて、係合爪と被係合片が互いに係合された状態を示す図である。
【図４】図１に記載のロック装置の係合爪の幅と被係合片の配列の間隔の関係を示す説明図である。
【図５】図１に記載のロック装置を備えるホーム柵の構成を説明する説明図であって、図５（ａ）は、閉扉状態にあるホーム柵の外形を示す構成図であり、図５（ｂ）は、閉扉状態にあるホーム柵の戸袋の内部の状態を示す構成図であり、図５（ｃ）は、開扉状態にあるホーム柵の戸袋の内部の状態を示す構成図である。
【図６】図５に記載のホーム柵を２台、左右対称に配列した状態を示す外形図である。
【発明を実施するための形態】
【００１３】
以下、本発明の実施形態に係るロック装置と、該ロック装置を備えるホーム柵について、図面を参照しながら詳細に説明する。なお、各図面においては、同一または同等の部分に同一の符号を付している。
【００１４】
図１はこの発明の実施の形態に係るロック装置１の構造図である。ロック装置１は、後述するホーム柵２（図１において図示せず）において、扉体３が戸袋４の外に引き出されている場合に、扉体３が戸袋４の中に戻らないように、扉体３の移動を拘束する装置である。図１に示すように、ロック装置１は、戸袋４に固定されるベースプレート５と扉体３に固定される被係合部６を備えている。
【００１５】
ベースプレート５には、ラッチ回動軸７が固定され、ラッチ回動軸７には係合アーム８が回動自在に軸支されている。また、係合アーム８の、図１において右側の端部には係合爪９が形成されている。係合アーム８がラッチ回動軸７回りに反時計回り方向（ＣＣＷ）に回転すると、係合爪９は被係合部６から離隔する方向に移動する。つまり、係合爪９は図１において矢印ＣＣＷで示す方向に持ち上げられる。また、係合アーム８がラッチ回動軸７回りに時計回り方向（ＣＷ）に回転すると、係合爪９は被係合部６に接近する方向に移動する。つまり、係合爪９は図１において矢印ＣＷで示す方向に押し下げられる。
【００１６】
ベースプレート５に固定されたタブ５ａと、係合アーム８の図１においてラッチ回動軸７の右側に位置する部位の間には、引っ張りばねとして機能するコイルばね１０が掛け渡されている。そのため、係合アーム８は、コイルばね１０によって、ラッチ回動軸７回りに反時計回り方向（ＣＣＷ）に回転するように、付勢されている。つまり、コイルばね１０は、係合爪９が被係合部６から離隔するように、係合アーム８を付勢している。
【００１７】
ベースプレート５の、図１においてラッチ回動軸７よりも左側に寄った位置には、ソレノイド１１が固定されている。ソレノイド１１はベースプレート５に固定された本体１１ａと、本体１１ａに進退自在に取り付けられたロッド１１ｂを備えている。ロッド１１ｂは、ソレノイド１１に通電されると、本体１１ａの中に引き上げられるように構成されている。また、ロッド１１ｂは、リンク１１ｃを介して、係合アーム８の図１においてラッチ回動軸７の左側に位置する部位（つまり、コイルばね１０が連結される部位とは、ラッチ回動軸７を挟んで反対側の部位）に連結されている。このように構成されているので、ソレノイド１１に通電されると、係合アーム８は、ラッチ回動軸７回りに時計回り方向（ＣＷ）に回転する。そして係合アーム８が、時計回り方向に回転すると、係合アーム８の係合爪９は被係合部６に接近する。つまり、ソレノイド１１は、係合アーム８をラッチ回動軸７回りに揺動させるアクチュエータとして機能する。なお、ソレノイド１１への通電はホーム柵２の図示しない制御装置によって制御される。
【００１８】
ベースプレート５の、図１において左側の端部には、リミットスイッチ１２が固定されている。リミットスイッチ１２は、ベースプレート５に固定された本体１２ａと、本体１２ａに揺動自在に取り付けられたレバー１２ｂを備えている。本体１２ａの内部には図示しないマイクロスイッチが内蔵されていて、レバー１２ｂが揺動すると、該マイクロスイッチが開閉されるように構成されている。レバー１２ｂは、係合アーム８の左側の端部に当接するように配置されている。そのため、係合アーム８が、時計回り方向（ＣＷ）に回転して、係合アーム８の図１において左側の端部が持ち上がると、レバー１２ｂは本体１２ａに対して揺動する。なお、リミットスイッチ１２の本体に内蔵されたマイクロスイッチは、ホーム柵２の図示しない制御装置に接続されている。
【００１９】
ベースプレート５の、図１において右側の端部には、ストッパー１３が固定されている。ストッパー１３は、係合アーム８の反時計回り方向（ＣＣＷ）の回転を規制する部材である。係合アーム８が図１において想像線で示す位置まで反時計回り方向（ＣＣＷ）に回転すると、係合アーム８はストッパー１３に当接して、そこで停止する。
【００２０】
なお、ロック装置１の構成部品の内、被係合部６以外の部品は、直接的または間接的にベースプレート５に取り付けられていて、係合アーム８の動作に関与している。以下、本明細書では、これらを総称して、「係合部」と呼ぶことがある。つまり、ロック装置１から被係合部６を除いた残りの部分を、「係合部」と呼ぶことがある。
【００２１】
被係合部６は、図１に示すように、基台６ａを備えていて、基台６ａには４個の被係合片６ｂが形成されている。被係合片６ｂは図１において基台６ａの上面に形成された凸部である。また、４個の被係合片６ｂは、扉体３が戸袋４に対して進退する方向（図１において、矢印ＦＷＤ、ＢＷＤで示す方向）に等間隔に配置されている。そのため、被係合部６は、全体として、波形または鋸刃状の外観を有している。
【００２２】
さて、図１に示す状態において、ソレノイド１１に通電されると、ロッド１１ｂが本体１１ａの中に引き上げられる。すると、係合アーム８は、ラッチ回動軸７回りに時計回り方向（ＣＷ）に回転し、係合爪９は被係合部６に接近する。その結果、図２に示すように、係合爪９は被係合部６が備える被係合片６ｂの１つと係合する。係合爪９が被係合片６ｂと係合すると、扉体３は戸袋４に対して後退方向（矢印ＢＷＤで示す方向）に移動できなくなる。つまり、扉体３がロックされる。また、この時、リミットスイッチ１２のレバー１２ｂは係合アーム８の端部と当接して持ち上げられる。
【００２３】
また、図２に示す状態において、ソレノイド１１への通電を停止すると、係合アーム８はコイルばね１０に引っ張られて、ラッチ回動軸７回りに反時計回り方向（ＣＣＷ）に回転する。係合アーム８が反時計回り方向（ＣＣＷ）に回転すると、係合爪９は被係合部６から離隔する。その結果、係合爪９と被係合片６ｂの係合が解除される。つまり、図１に示す状態に戻る。
【００２４】
上記において、図１と図２を参照して、ロック装置１の被係合部６が係合部に対して正しく位置決めされた場合のロック装置１の動作を説明した。一方、被係合部６が係合部に対して正しく位置決めされていないと、図３（ａ）に示すように、係合爪９は被係合片６ｂに係合されない。この状態において、扉体３に外力を加えて、扉体３を戸袋４の中に引き入れようとすると、つまり、扉体３をこじ開けようとすると、扉体３は矢印ＢＷＤで示す方向に移動する。扉体３が矢印ＢＷＤで示す方向に移動すると、係合爪９は当該被係合片６ｂと当該被係合片６ｂの左隣にある別の被係合片６ｂの間の凹部に落下する。そして、扉体３が矢印ＢＷＤで示す方向に更に移動すると、図３（ｂ）に示すように、係合爪９は当該被係合片６ｂの左隣にある別の被係合片６ｂと係合する。その結果、扉体３はロックされる。つまり、扉体３の矢印ＢＷＤ方向の移動が拘束される。このように、ロック装置１は、被係合部６が係合部に対して正しく位置決めされていなくても、扉体３をロックすることができる。
【００２５】
また、上記のような作用は、係合爪９を下げた時に、係合爪９が、図３（ａ）においてＷで示す範囲で被係合部６に当接するような位置に、被係合部６が配置されていれば、生じる。つまり、係合爪９が下げられて、図３（ａ）においてＷで示す範囲で、係合爪９が被係合部６に当接する時に、扉体３が矢印ＢＷＤで示す方向に移動されると、係合爪９がいずれかの被係合片６ｂと係合する。その結果、扉体３がロックされる。したがって、被係合部６の係合部に対する位置ずれは、図３（ａ）においてＷで示す範囲まで許容される。そのため、被係合部６の位置決め調整は容易になる。その結果、位置決め調整に掛かる作業時間が削減される。また、多くの場合、ホーム柵２を現地に据え付ける際に、再度、被係合部６の位置決め調整を行う必要が無くなる。つまり、ホーム柵２を現地に据え付ける際のロック装置１の位置決め調整を省略することができる。
【００２６】
なお、前述したように、被係合片６ｂは基台６ａ上に等間隔に配列されているが、その間隔Ｂは、図４に示すように、係合爪９の実質的な幅ｂ（係合爪９が被係合片６ｂと係合する時に、被係合片６ｂの配列と平行となる方向において測った幅）よりも大きくされている。そのため、図４に示すように、係合爪９を被係合片６ｂと係合する高さまで下げた時に、「遊び」が生じる。つまり、図４に示す状態において、被係合部６（が固定された図示しない扉体３）を図４の左右方向に移動させることができる。このような「遊び」があると、例えば、扉体３の戸先とそれと当接する別の扉体３の戸先の間に異物が挟まれた時に、扉体３と別の扉体３の間の隙間を広げて、異物を取り外すことができる。
【００２７】
最後に、ロック装置１を備えるホーム柵２について説明する。ホーム柵２は、鉄道駅のプラットホームに設置される、一種の自動ドア装置であって、図５（ａ）に示すように、鉄道駅のプラットホームの床面１４に固定される戸袋４と、戸袋４に進退自在に取り付けられた扉体３を備えている。なお、図５（ａ）は扉体３が戸袋４から完全に引き出された状態にあるホーム柵２を、つまり閉扉状態にあるホーム柵２を、プラットホーム内から見た外形図である。
【００２８】
図５（ｂ）は、図５（ａ）の場合と同じ状態にあるホーム柵２の戸袋４を構成するパネルの一部を取り外して、戸袋４の内部を見えるようにした図である。図５（ｂ）に示すように、戸袋４の内部には、上部レール４ａと下部レール４ｂが固定されている。扉体３は上部レール４ａと下部レール４ｂに滑動自在に支持されて、Ｘ軸方向に移動可能に構成されている。また、戸袋４の内部には、駆動プーリ４ｃと従動プーリ４ｄが、扉体３の進退方向に間隔を開けて配置されている。駆動プーリ４ｃと従動プーリ４ｄの間には、タイミングベルト４ｅが掛け回されている。そして、タイミングベルト４ｅはベルトクランプ４ｆを介して、扉体３に連結されている。そのため、図示しない電動機で駆動プーリ４ｃを回転駆動すると、タイミングベルト４ｅは駆動プーリ４ｃと従動プーリ４ｄの間で進退する。タイミングベルト４ｅが駆動プーリ４ｃと従動プーリ４ｄの間で進退すると、ベルトクランプ４ｆも進退する。その結果、扉体３は戸袋４に対して進退する。
【００２９】
図５（ｂ）に示すように、戸袋４の内部には、ロック装置１が配置されている。ロック装置１のベースプレート５は戸袋４に固定されている。ロック装置１の被係合部６は扉体３に固定されている。また、図５（ｂ）は、ロック装置１が扉体３をロックした状態を示している。そして、図５（ｂ）に示す状態、つまり、ホーム柵２が閉扉状態にある場合に、扉体３をロックすると、乗客がホーム柵２を無理にこじ開けることができなくなる。
【００３０】
また、前述したように、仮に、ロック装置１の被係合部６が係合部に対して正しく位置決めされておらず、係合爪９を押し下げた時に、係合爪９と被係合片６ｂと係合しない場合であっても、乗客がホーム柵２を無理にこじ開けようとすれば、扉体３はロック装置１によってロックされる。つまり、扉体３に外力が加えられて、扉体３が僅かに移動すると、係合爪９は被係合部６が備える４個の被係合片６ｂのいずれか一つと係合する。
【００３１】
ホーム柵２を開扉する際は、ロック装置１のソレノイド１１への通電を停止する。ソレノイド１１への通電が停止されると、ロック装置１による扉体３のロックが解除される。その後、扉体３を図の右方向に移動させれば、図５（ｃ）に示すように、扉体３は戸袋４の中に引き込まれる。つまり、ホーム柵２は開扉される。
【００３２】
上記において、床面１４に１台のホーム柵２を設置する例を示したが、図６に示すように、２台のホーム柵２，２’を左右対称に配置するようにしても良い。つまり、ホーム柵２とホーム柵２’を閉扉した場合に、扉体３の戸先と扉体３’の戸先が互いに当接するように、ホーム柵２とホーム柵２’を床面１４に据え付けても良い。また、ホーム柵２が備えるロック装置１の「遊び」とホーム柵２’ が備えるロック装置１の「遊び」が異なるようにしても良い。一方のロック装置１の「遊び」が他方のロック装置１の「遊び」よりも大きくなるようにしても良い。一方のロック装置１の「遊び」を実質的に０にして、他方のロック装置１に「遊び」が生じるようにしても良い。
【００３３】
以上、説明したように、本発明の実施形態によれば、ロック装置１の被係合部６が係合部に対して位置ずれしていても、閉扉状態にあるホーム柵２がこじ開けられようとする場合に、扉体３をロックすることができる。そのため、ロック装置１をホーム柵２に取り付ける際に行う、被係合部６の位置決め調整が容易になる。また、ホーム柵２を現地に据え付ける際に、ロック装置１の被係合部６の位置決め調整を行う必要がなくなる。そのため、ホーム柵２の製造時及び現地据付時における、ロック装置１の被係合部６の位置決め調整に係る作業時間を削減することができる。
【００３４】
しかしながら、本発明の技術的範囲は、上記の実施形態によっては、限定されない。本発明は、特許請求の範囲に記載された技術的思想の限りにおいて、自由に、応用、変形、又は改良して実施することができる。
【００３５】
特に、上記実施形態において示した係合アーム８、係合爪９、被係合部６及び被係合片６ｂの形状は例示である。これらは、係合爪９と被係合片６ｂが係合できるように構成されていれば十分であり、これらの形状は、その限りにおいて任意に選択できる。
【００３６】
上記実施形態においては、ロック装置１が備えるアクチュエータとしてソレノイド１１を例示したが、アクチュエータはソレノイド１１には限定されない。アクチュエータの構造や形式は限定されない。アクチュエータは空気圧や油圧で駆動されるものであっても良い。
【００３７】
上記実施形態においては、ロック装置１にコイルばね１０、リミットスイッチ１２及びストッパー１３を備える例を示したが、これらは任意的構成要素であって、これらを省いて、ロック装置１を構成することもできる。
【００３８】
上記実施形態においては、ロック装置１の係合部を戸袋４に固定し、被係合部６を扉体３に固定する例を示したが、被係合部６を戸袋４に固定し、係合部を扉体３に固定するようにしても良い。
【００３９】
上記実施形態においては、ロック装置１をホーム柵２に取り付ける例を示したが、ロック装置１を取り付ける扉装置はホーム柵２には限定されない。ロック装置１を備える扉装置の設置場所はプラットホームには限定されない。
【符号の説明】
【００４０】
１  ロック装置、２  ホーム柵、３  扉体、４ 戸袋、４ａ  上部レール、４ｂ  下部レール、４ｃ  駆動プーリ、４ｄ  従動プーリ、４ｅ  タイミングベルト、４ｆ  ベルトクランプ、５  ベースプレート、５ａ  タブ、６  被係合部、６ａ  基台、６ｂ  被係合片、７  ラッチ回動軸、８  係合アーム、９  係合爪、１０  コイルばね、１１  ソレノイド、１１ａ  本体、１１ｂ  ロッド、１１ｃ  リンク、１２  リミットスイッチ、１２ａ  本体、１２ｂ  レバー、１３  ストッパー、１４  床面
【図１】
0006723067.tif 000002
【図２】
0006723067.tif 000003
【図３】
0006723067.tif 000004
【図４】
0006723067.tif 000005
【図５】
0006723067.tif 000006
【図６】
0006723067.tif 000007